(57)【要約】      （修正有）【課題】電子設備に対して防水及び排水可能な電子設備排水装置を提供する。【解決手段】電子設備排水装置は、電子設備のキーボード１６を有する本体１２を傾斜するように固定するベースと、前記キーボードをカバーする防水膜と、を備える。前記防水膜は、メイン部４２とメイン部の周縁から突出される突出部４４とを備え、前記突出部の底部には、排水口が設けられ、前記防水膜にかかった液体は、重力を受けて下方に流れ込んだ後、前記排水口から排出される。【選択図】図４
2014099168.tif 000002
【特許請求の範囲】
【請求項１】
電子設備のキーボードを有する本体を傾斜するように固定するベースと、
前記キーボードをカバーする防水膜と、
を備え、前記電子設備の防水及び排水機能を備える電子設備排水装置であって、
前記防水膜は、メイン部及びメイン部の周縁から突出する突出部を備え、前記突出部の底部には排水口が設けられ、前記防水膜にかかった液体は、重力を受けて下方に流れ込んだ後、前記排水口から排出されることを特徴とする電子設備排水装置。
【請求項２】
前記ベースは、互いに反対側に位置する２つの側板と、前記側板の傾斜する上端を連接し、且つ傾斜する傾斜板と、を備え、前記傾斜板の底部には、当止部が突設され、前記電子設備の本体は、前記傾斜板に載せられ、且つ該当止部に当止されることを特徴とする請求項１に記載の電子設備排水装置。
【請求項３】
前記傾斜板には、ファンユニットを収容できる収容孔が設けられていることを特徴とする請求項２に記載の電子設備排水装置。
【請求項４】
１つの排水管を備え、前記排水管の一端は前記排水口に連接されることを特徴とする請求項１から３の何れか一項に記載の電子設備排水装置。
【請求項５】
更に前記液体を溜める収集槽を備え、前記排水管の他端は、前記収集槽に連接されることを特徴とする請求項４に記載の電子設備排水装置。
【請求項６】
前記ベースには、前記収集槽を収容できる収容空間が設けられていることを特徴とする請求項５に記載の電子設備排水装置。
【請求項７】
前記収集槽には、入水口が設けられ、前記排水管の両端には、係合部がそれぞれ設置され、前記係合部は、前記収集槽の入水口及び前記防水膜の前記排水口に着脱可能にそれぞれ係合されることを特徴とする請求項５に記載の電子設備排水装置。
【発明の詳細な説明】
【技術分野】
【０００１】
本発明は、電子設備排水装置に関するものである。
【背景技術】
【０００２】
水等の液体が、例えば電子設備（ノートパソコン等）のキーボードにかかると、該液体は電子設備内に入って電子設備内の回路基板を壊す場合がある。この状況を防ぐために、従来の技術において、防水膜がキーボードをカバーする技術が応用されているが、この防水膜には排水機能が備わっておらず、液体がキーボードに大量にかかった場合、液体が防水膜の周縁から電子設備内に入る可能性がある。
【発明の概要】
【発明が解決しようとする課題】
【０００３】
本発明の目的は、前記問題を解決し、電子設備に対して防水及び排水可能な電子設備排水装置を提供することである。
【課題を解決するための手段】
【０００４】
上記目的を達成するために、本発明に係る電子設備排水装置は、電子設備のキーボードを有する本体を傾斜するように固定するベースと、前記キーボードをカバーする防水膜と、を備える。前記防水膜は、メイン部とメイン部の周縁から突出する突出部とを備え、前記突出部の底部には、排水口が設けられ、前記防水膜にかかった液体は、下方に流れ込んだ後、前記排水口から排出される。
【発明の効果】
【０００５】
本発明に係る電子設備排水装置は、防水膜が傾斜されて、キーボードをカバーしているので、液体がかかった場合、該液体が下方に流れ込んだ後排水口から排出される。これにより、防水及び排水することができる。
【図面の簡単な説明】
【０００６】
【図１】本発明の実施形態に係る電子設備排水装置と電子設備との分解斜視図である。
【図２】図１に示す電子設備排水装置の排水管の拡大図である。
【図３】図１に示す電子設備排水装置のベースと排水管との組立図である。
【図４】図１に示す電子設備排水装置と電子装置との組立斜視図である。
【発明を実施するための形態】
【０００７】
図１及び図２に示したように、本発明の実施形態に係る電子設備排水装置は、キーボードを有する電子設備の防水及び排水機能を備える。本実施形態において、電子設備はノートパソコン１０である。
【０００８】
ノートパソコン１０は、本体１２と、本体１２の１つの側辺に回動可能に装着されたディスプレイ１４と、本体１２の上面に装着されたキーボード１６と、を備える。
【０００９】
排水装置は、中空のベース２０と、収集槽３０と、防水膜４０と、２つの排水管５０と、を備える。
【００１０】
ベース２０は、互いに反対側に位置し、且つ三角形の側面を有する２つの側板２４と、該２つの側板２４の上端を連接し、且つ下方に傾斜する傾斜板２６と、を備える。側板２４と傾斜板２６との間には、収容空間２００が設けられている。各側板２４には、収容空間２００と連通する開口２０４がそれぞれ設けられている。傾斜板２６の底部には、当止部２６０が突出している。傾斜板２６の上部には、収容空間２００と連通し、且つ２つのファンユニット２０２をそれぞれ収容するための２つの収容孔２６２が設けられている。
【００１１】
収集槽３０の両側端には、入水口３２とハンドル３４とがそれぞれ設けられている。
【００１２】
防水膜４０は、防水でき、且つ空気を通す材料から製造され、メイン部４２と、メイン部４２の周縁から突出する突出部４４と、を備える。図１を参照すると、突出部４４の底部（つまり、防水膜４０における当止部２６０に近接する側）には少なくとも１つの排水口４４０が設けられている。本実施形態において、メイン部４２は平たい矩形を呈し、突出部４４は矩形の枠体である。前記突出部４４の底部における互いに反対側に位置する両側には、排水口４４０がそれぞれ設けられている。他の実施形態において、防水膜４０は、キーボード１６のキーの形状に対応して、凹凸している形状であっても良い。
【００１３】
図２に示したように、各排水管５０は、中空で柔軟な管部５２と、管部５２の両端にそれぞれ設置された係合部５４と、を備える。
【００１４】
図３及び図４に示したように、電子設備排水装置と電子設備とを組み立てる際、先ず、収集槽３０を、開口２０４を介して収容空間２００に収容する。この時、収集槽３０はファンユニット２０２の前側に位置する。次いで、ノートパソコン１０の本体１２を傾斜板２６の上面に載せて、本体１２を当止部２６０に当止させる。次いで、防水膜４０がキーボード１６をカバーするように、防水膜４０を設置する。この時、ディスプレイ１４は、当止部２６０と離れて位置する。２つの排水口４４０は、当止部２６０にそれぞれ隣接する。各排水管５０の係合部５４は、収集槽３０の入水口３２及び防水膜４０の排水口４４０にそれぞれ緊密に係合される。
【００１５】
本発明において、キーボード１６が防水膜４０によってカバーされるので、水等の液体は、キーボード１６の隙間を通ってノートパソコン１０の内部に侵入できない。また、ノートパソコン１０は、下方に傾斜する傾斜板２６に載せられるので、前記液体は重力を受けて下方に流れ込んだ後、突出部４４にせき止められて、２つの排水口４４０と排水管５０とを介して収集槽３０内に流れ込む。次いで、ハンドル３４をつかんで収集槽３０を収容空間２００から引き出し、流れ込んだ液体を除去すれば良い。防水膜４０にかかった液体が、牛乳等の汚れが落ちにくい液体である場合は、汚れた防水膜４０を取り外して、新しい防水膜４０をキーボード１６にカバーさせるだけで良いので、便利である。
【００１６】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、添付の特許請求の範囲から決まる。
【符号の説明】
【００１７】
１０  ノートパソコン
１２  本体
１４  ディスプレイ
１６  キーボード
２０  ベース
２００  収容空間
２０２  ファンユニット
２０４  開口
２４  側板
２６  傾斜板
２６０  当止部
２６２  収容孔
３０  収集槽
３２  入水口
３４  ハンドル
４０  防水膜
４２  メイン部
４４  突出部
４４０  排水口
５０  排水管
５２  管部
５４  係合部
【図１】
2014099168.tif 000003
【図２】
2014099168.tif 000004
【図３】
2014099168.tif 000005
【図４】
2014099168.tif 000006